(57)【要約】【課題】網収納框が室外側に突出する形状であっても、規格的な又は既存の窓枠を不都合なく使用できる窓枠における網戸の取付装置を提供する。【解決手段】室外側の障子とともに網戸が嵌まるよう枠組みされる左右上下の各枠の室内側端に、室内側片と室外側片を突設することにより枠内方へ開口する深溝が形成されるサッシの窓枠において、網戸の一の框が網収納框として他の框に対して室外側に張り出す一方、室内側では他の框と面一ないしほゞ面一であって、窓枠の各枠に前記深溝の箇所と結合して室内側に突出する帯状の支持部材を取り付け、この室内側へ突出する左右上下の支持部材に囲まれる中に網戸を差し入れることにより、各支持部材に各框をそれぞれビス止めした。【選択図】    図１
2007284945.tif 000002
【特許請求の範囲】
【請求項１】
室外側の障子とともに網戸が嵌まるよう枠組みされる左右上下の各枠の室内側端に、室内側片と室外側片を突設することにより枠内方へ開口する深溝が形成されるサッシの窓枠において、網戸の一の框が網収納框として他の框に対して室外側に張り出す一方、室内側では他の框と面一ないしほゞ面一であって、窓枠の各枠に前記深溝の箇所と結合して室内側に突出する帯状の支持部材を取り付け、この室内側へ突出する左右上下の支持部材に囲まれる中に網戸を差し入れることにより、各支持部材に各框をそれぞれビス止めしたことを特徴とする窓枠における網戸の取付装置。
【請求項２】
網戸については、網収納框の中において常時固定の中心軸と防虫網の巻取り筒との間に巻取りばねを介在させ、防虫網の端に把手フレームが取り付けられ、網収納框の上端に中心軸の回転による巻取りばねの調整装置を備えてあって、調整装置を装備するために網収納框の上端に固定される基盤とそれに重なる基プレートとのうちの少なくとも一方に上框に挿入される連結片が突設され、その連結片および下框に対する連結ブロックとを介して網収納框が組み外し可能に組み付けられ、網収納框に調整装置の他に防虫網の巻取り筒および把手フレームを付属させたまま、その網収納框を脱着できるようにしてあることを特徴とする請求項１記載の窓枠における網戸の取付装置。
【請求項３】
網戸については、網収納框の中において常時固定の中心軸と防虫網の巻取り筒との間に巻取りばねを介在させ、防虫網の端に把手フレームが取り付けられ、網収納框の上端に中心軸の回転による巻取りばねの調整装置を備えてあって、その巻取りばねの調整装置について、網収納框の上端に、周壁を有するとともに前面に開放口を有する基盤と、その上を封じる上面プレートとを固着し、その間の空間に、中心軸が一体回転に接続する中央歯車が軸支され、中央歯車が大歯車とラチェット歯車とからなる複合歯車であって、さらに、前記空間には、この中央歯車の大歯車に噛み合う駆動用の小径の副歯車と、ラチェット歯車に係合する爪付きの揺動レバーとを軸支する一方、揺動レバーを前記ラチェット歯車との係合に付勢するコイル形の圧縮ばねを内装し、前記基盤に圧縮ばねが倒伏して直に納まる収納室が形成され、揺動レバーの基端には前記開放口に露出する押しボタンが形成されていることを特徴とする請求項１記載の窓枠における網戸の取付装置。
【発明の詳細な説明】
【技術分野】
【０００１】
この発明は、サッシの窓枠において室外側の障子とともに嵌められる網戸の取付装置に関する。なお、この「網戸」の代表としては防虫網を挙げることができるが、防虫網には広くスクリーンをも含むこととする。
【背景技術】
【０００２】
網戸の使用形態については、窓枠に障子と並列して嵌められる場合と、障子又はドアの一部（多くの場合は上部）に嵌められる場合と、窓に嵌め殺しに取り付けられる網窓の場合等があり、このような場合には、防虫網で開閉される枠組みの一の框を防虫網の網収納框として、その中に防虫網の巻取り筒が軸承される。いずれにしても、この明細書では、網戸が嵌め込まれる対象を窓枠と称することにする。
【０００３】
図１０は、この種の網戸として本出願人に係る従来例を簡略的に示したもので、これによると、網戸の枠組みの一端の縦框が網収納框１１２として、その中に巻取り筒１２１が内装され、その巻取り筒１２１は、常時固定されている中心軸１１９と巻取り筒１２１との間に巻取りばね１２３が介在され、その一端が中心軸１１９に、他端が巻取り筒１２１にそれぞれ固定される。そこで、巻取り筒１２１に巻き取られている防虫網１１５を引き出すと、巻取り筒１２１が巻取りばね１２３の弾力に抗して回転するために、逆に防虫網１１５がその弾力により巻き取られる。
【発明の開示】
【発明が解決しようとする課題】
【０００４】
網収納框１１２は、このように巻取り筒１２１を内装するために、内部空間が広い押出形材で、その前面には開閉蓋１１３が取り付けられたものであって、他の框１１６よりも内部空間を広く取るために前面に突出する形状であり、そのため、室内側から見てその突出が他の框１１６に対してデザイン的に不釣り合いに目立つという問題があった。この点については、他の框に対して網収納框を室外側へ突出する形状にすれば解決するのではあるが（図９参照）、そうすると、凸部分が室外側の障子に不都合に接近することになり、これを避けるには、規格的な又は既存の窓枠を使用できなく、専用に特別な窓枠を製造することになるためコスト高となるという問題があった。
【０００５】
この発明は、上記のような実情に鑑みて、網収納框が室外側に突出する形状であっても、規格的な又は既存の窓枠を不都合なく使用できる窓枠における網戸の取付装置を提供することを課題とした。
【課題を解決するための手段】
【０００６】
上記の課題を解決するために、この発明は、室外側の障子とともに網戸が嵌まるよう枠組みされる左右上下の各枠の室内側端に、室内側片と室外側片を突設することにより枠内方へ開口する深溝が形成されるサッシの窓枠において、網戸の一の框が網収納框として他の框に対して室外側に張り出す一方、室内側では他の框と面一ないしほゞ面一であって、窓枠の各枠に前記深溝の箇所と結合して室内側に突出する帯状の支持部材を取り付け、この室内側へ突出する左右上下の支持部材に囲まれる中に網戸を差し入れることにより、各支持部材に各框をそれぞれビス止めしたことを特徴とする窓枠における網戸の取付装置を提供するものである。
【０００７】
窓枠における網戸の取付装置を上記のように構成したから、室内側から見て網戸の網収納框を含む各框が面一またはほゞ面一であり、網収納框が室外に突出していても、支持部材を介して網戸を室内側に位置させることにより、室外の障子との間隔を正常に保つことができる。
【発明の効果】
【０００８】
以上説明したように、この発明の窓枠における網戸の取付装置によれば、室内側からみて各框が面一の状態において体裁が良好であり、また、支持部材を介して室内側に寄せて取り付けるため、規格的または既存の幅の窓枠を使用しても室外の障子との関係に不都合がなく、特殊窓枠を使用しないでコスト安となるという優れた効果がある。
【０００９】
また、請求項２によれば、窓枠から網戸を取り外すことにより、さらにその網戸から巻取り筒等とともに網収納框を取り外すことができて掃除等がしやすく、また、請求項３によれば、防虫網の張りの強さ等を容易に調整できる。
【発明を実施するための最良の形態】
【００１０】
図１ないし図７は、一実施形態を示したもので、この場合は、サッシの窓枠Ｆに室外障子Ｓと並列に網戸Ｐが嵌め込まれている。なお、障子Ｓは、窓枠Ｆの全体を開閉できるように、窓枠Ｆに沿って横へ移動する縦軸を中心に外へ開くことのできる「すべりだし障子」として実施されるが、引き違い障子として実施されることもある。また、図８に示すように、上下連窓において、上段の窓にはすべりだし障子（図示しない）と網戸Ｐとを嵌め、下段の窓にすべりだし障子Ｓａ、または嵌め殺し障子を嵌めるというように、さまざまな実施態様がある。なお、図９は、図１０の従来例との比較においてこの発明の網戸を概略的に示した。
【００１１】
サッシの窓枠Ｆは、左右縦枠１，２と上下枠３，４とからなり、下枠４が段状に形成され、低い外側に障子Ｓを嵌め、高い内側に網戸Ｐが嵌め込まれており、障子Ｓと網戸Ｐとの間には網収納框１１が張り出す余裕のある空間が生じるように、網戸Ｐが室内側に突出して取り付けられ、その取付けのため、窓枠Ｆの各枠と網戸Ｐとの間には、アルミやプラスチック等の押出形材からなる支持部材７，７，・・が介在されている。
【００１２】
窓枠Ｆの各枠１，２，３，４は、室内側端において内外片９ａ，９ｂを突設することにより深溝９が形成され（図３）、室内側片９ａの先に内向凸縁１０が形成され、室外側片９ｂの先端が支持部材７を差し込み案内しやすく内向傾斜に形成される。また、支持部材７は、帯状の室外端部に深溝９に差し込まれる脚部片１５と、室外側片９ｂに係る端掛け片１７とが突設され、脚部片１５には内向凸縁１０が支点として或いは脱出止めとして係る凹溝１８が形成される。したがって、取付けが容易でありながら内外幅方向に固定が確実となり、框１１，１２，１３，１４をビス２２止めすることでそれを強力に支持できる。
【００１３】
網戸Ｐは、網収納框１１とそれと並列する縦框１２と、上下框１３，１４とで枠組みされ、防虫網１６を引き出すためにその端に把手フレーム８が取り付けられ、移動可能に上下框１３，１４に係合される。そのうち、網収納框１１は、図３に示すように、矩形を基本としてその前面と枠内側半部にわたって広く開口する断面形状であって、支持部材７の取り付け箇所がジグザグのリブ形状に形成され、そこにおいてビス２２により支持部材７が取り付けられる。また、前面は蓋１１ａで封じられ、それにはビスポケットを設けて、上端が調整装置２４を装備するための基盤４９や上部プレート５１に、下端が下部連結ブロック３０にビス止めされる。
【００１４】
防虫網１６の巻取り装置は様々となるが、この実施形態では、図６に示すように、網収納框１１に、内部に常時固定される中心軸１９を設けるとともに、中心軸１９を中心に回転するように防虫網１６の巻取り筒２１を軸承し、中心軸１９と巻取り筒２１との間に巻取りばね２３が介在され、その一端が中心軸１９に他端が巻取り筒２１と一体の軸承ブロック２０にそれぞれ固定されている。したがって、防虫網１６を引き出すときの巻取り筒２１の回転で巻取りばね２３に弾力が蓄積され、把手フレーム８を解放すると、その弾力で防虫網１６が巻取り筒２１に巻き取られる。また、網収納框１１の上端には、巻取りばね２３の強弱を調整する調整装置２４が設けられる。そして、調整装置２４との接続を絶って巻取り筒２１を外すために、その上端には上端昇降軸装置２５が具備される。
【００１５】
上端昇降軸装置２５は、中央歯車２６とでクラッチを構成するもので、巻取り筒２１の上端に嵌着される凹形の上端キャップ３１と、その凹部に落とし込まれる可動接続片３３と、落とし込みに抗するように働くコイルばね３５とから構成され、可動接続片３３は、中心軸１９の上端に嵌着されそれにリベット３７で固定される。また、コイルばね３５は、上端キャップ３１の中において中心軸１９に挿入され、上端で可動接続片３３を上方に付勢し得るように受けている。可動接続片３３は、上端面が噛合いクラッチ面３９に形成され、その中心には端末軸４１が突設され、端末軸４１の上端にドライバー溝４３が形成される。一方、調整装置２４の中央歯車２６の下面中心には下部軸３８を突設し、その下端に前記クラッチ面３９と噛み合うクラッチ面４０が形成される。
【００１６】
巻取り筒２１を取り外すときには、まず、それを持ち上げる。そうすると、コイルばね３５の弾力に抗して可動接続片３３が上端キャップ３１に引っ込んでそれに応じるから、巻取り筒２１の持ち上げにより下端軸２９を下部連結ブロック３０から引き抜くことができ、取り付けるときには丁度逆の操作となる。したがって、巻取り筒２１の上下操作だけでその取付け取外し操作をなしうる。なお、巻取り筒２１が取り外し可能であることは必ずしも要しない。つまり、上端昇降軸装置２５を設けなく、中心軸１９を直接中央歯車２６に接続する簡単な構造であっても良い。
【００１７】
巻取り筒２１の上端の端末軸４１は、中央歯車２６の軸支孔４５に挿入されることにより、網戸Ｐの上面に露出しているので、ドライバーを付けることにより中央歯車２６と共に中心軸１９を回転することができ、後記するように、この操作で巻取りばね２３を強に調整することができる。なお、４７はワンウエイクラッチ、４８がロータリダンパであって、巻取りばね２３により巻取り筒２１が巻きに回転する速度が制御される。
【００１８】
調整装置２４は、網収納框１１の上端にそれぞれビス止めされるプラスチック製の基盤４９と、それを封じる金属製の上面プレート５１との間に装備され、それぞれに連結片４９ａ，５１ａが突設されることにより、網収納框１１が上框１３に連結される。なお、下部の連結片４９ａには、防虫網１６が通るスリット５３が形成されている。図４は、上面プレート５１を省いて基盤４９の内部に装備される調整装置２４の構造を示したもので、それが前記した中央歯車２６の他に、駆動用としての小径の副歯車５０、揺動レバー５６、コイルばねとしての圧縮ばね５２が装備される。同図では、分かりやすくするために、中央歯車２６の一部が切欠される。
【００１９】
基盤４９は、図４および図５に示すように、周囲に周壁５５を突設するとともに、前面において周壁５５の半部を開放し、その開放口５７の奥部には圧縮ばね５２の収納室６１が形成され、前面閉塞壁の内側部分に揺動レバー５６の回動軸６２が突設される。中央歯車２６および副歯車５０は、それぞれ基盤４９および上面プレート５１に軸支される。６３が中央歯車２６の軸支孔である。
【００２０】
中央歯車２６は、大歯車２６ａの下にラチェット歯車２６ｂが形成された複合歯車であって（図４、図６）、下部軸３８に対応して上部軸６９を有し、中心に巻取り筒２１を支持する軸支孔４５が形成され、下部軸３８の下面にクラッチ面４０が形成され、また、ラチェット歯車２６ｂのラチェットは、防虫網９を引き出す回転に応じる逃げ角に形成される。また、揺動レバー５６は、回動軸６２を中心に屈折する「く」の字形であって、先端にラチェットの迎え角側に係る爪７３が形成され、基端に開放口５７に露出する押しボタン７５が突設され、その後面を圧縮ばね５２が押しているので、押しボタン７５を押すと、先端の爪７３がラチェット歯車２６ｂから外れるために、中央歯車２６の停止が解除される。この時適度の位置で押しを解除すると、巻取りばね２３が適度に弱に調整される。
【００２１】
つまり、このときに巻取り筒２１を固定しておけば、巻取りばね２３の弾力による中心軸１９の回転（消極回転）で巻取りばね２３に蓄積されている弾力が緩和され、適当な時点で押しボタン７５を放して中心軸１９の回転を止めると、これで巻取りばね２３が弱に調整される。また、ドライバーにより中央歯車２６を回転して、中心軸１９を巻取りばね２３の弾力に抗して回転（積極回転）すると、この場合、回転を止めた時点で揺動レバー５６の爪７３が中央歯車２６のラチェット歯車２６ｂに掛かって中心軸１９が固定されるから、巻取りばね２３が強に調整される。また、副歯車５０の軸の上部軸７７にもドライバー溝７９が形成されているので、副歯車５０を回転すれば歯車の倍力機構で軽く中央歯車２６を回転することができる。
【００２２】
図７において、（ａ）は網戸Ｐを組み立てた状態を示したもので、網収納框１１が上端では基盤４９の連結片４９ａと上部プレート５１の連結片５１ａが上框１３に挿入され、下端では下部連結ブロック３０の連結片３０ａが下框１４に挿入され、それぞれビス止めされている。そこで、窓枠Ｆから網戸Ｐを外した状態において、ビスを外して各連結片４９ａ，５１ａおよび３０ａを抜くことにより、防虫網１６や把手フレーム８が付いたまま網収納框１１を枠組みから外すことができ（ｂ）、こうして内部を掃除したり修繕したりすることができる。
【図面の簡単な説明】
【００２３】
【図１】この発明の一実施形態による窓枠における網戸の取付装置を示す平面から見た断面図である。
【図２】同窓枠における網戸の取付装置の縦断面図である。
【図３】図１のＡ部の拡大断面図である。
【図４】同網戸における調整装置の一部切欠した平面図である。
【図５】図４のＢ−Ｂ線矢視において基盤を上部プレートとの関係で示す断面図である。
【図６】同網戸における防虫網の巻取り装置を示す断面図である。
【図７】同網戸を組立て状態（ａ）と、網収納框を外した状態（ｂ）とを示す正面図である。
【図８】他の実施形態による網戸の他の使用例を示す連窓の室内側から見た正面図である。
【図９】この発明に係る網戸の概略を示す断面説明図である。
【図１０】図９との相対において従来例を示す断面説明図である。
【符号の説明】
【００２４】
Ｆ  窓枠
Ｐ  網戸
１，２，３，４  枠
７  支持部材
８  把手フレーム  
９  深溝
９ａ  室内側片
９ｂ  室外側片
１１  網収納框
１２，１３，１４  框
１５  脚部片
１６  防虫網
２６ａ  大歯車
２６ｂ  ラチェット歯車
１９  中心軸
２１  巻取り筒
２２  ビス
２３  巻取りばね
２４  調整装置
２６  中央歯車
３０  連結ブロック
３０ａ  連結片
４９  基盤
４９ａ  連結片
５０  副歯車
５１  上部プレート
５１ａ  連結片
５２  圧縮ばね
５６  揺動レバー
６１  収納室
７５  押しボタン
【図１】
2007284945.tif 000003
【図２】
2007284945.tif 000004
【図３】
2007284945.tif 000005
【図４】
2007284945.tif 000006
【図５】
2007284945.tif 000007
【図６】
2007284945.tif 000008
【図７】
2007284945.tif 000009
【図８】
2007284945.tif 000010
【図９】
2007284945.tif 000011
【図１０】
2007284945.tif 000012